【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
柔軟性及び弾性を有する導管であり石膏スラリーの分注アセンブリにおける該導管を収縮させることに使用するための連続可変型の収縮バルブであって、
前記導管の長手方向に沿って互いに離間している第１のガイド板及び第２のガイド板であって、該第１のガイド板及び第２のガイド板の一方が、前記導管の長軸を略中心にして、該第１のガイド板及び第２のガイド板の他方に対して回転する、該第１のガイド板及び第２のガイド板と、
前記第１のガイド板に係合する第１の端部と、前記第２のガイド板に係合する第２の端部とを有する複数の細長い部材と、
前記第１のガイド板及び前記第２のガイド板の一方に配設され、前記第１のガイド板と前記第２のガイド板との間の連続可変の相対的な回転を可能とするよう構成されたアクチュエータと、
前記アクチュエータに配設され、フィードバックループを介して前記アクチュエータにより前記第１のガイド板の回転を調整するよう構成されたコントローラと
を備え、
前記複数の細長い部材は、前記第１のガイド板及び第２のガイド板の少なくとも一方が回転する際に、前記導管に圧力を与えて収縮させるよう構成されている、
収縮バルブ。
【請求項２】
前記少なくとも一方のガイド板の前記回転が、前記細長い部材の前記第１の端部を前記第２の端部と相対的に円周方向へ変位させる、請求項１に記載の収縮バルブ。
【請求項３】
前記細長い部材が、前記導管に圧力を与え、前記導管を該導管の長手方向に沿った多数の面において半径方向に収縮させる、請求項２に記載の収縮バルブ。
【請求項４】
前記少なくとも一方のガイド板が回転する際に、前記導管の形状が、前記導管の前記長軸中心の回転双曲面に近づく、請求項１に記載の収縮バルブ。
【請求項５】
前記少なくとも一方のガイド板が回転する際に、前記導管の形状が、該導管の長手方向に沿ってとった複数の断面において略滑らかで且つ円形になる、請求項１に記載の収縮バルブ。
【請求項６】
混合器に背圧を生成し、該収縮バルブ内における石膏スラリーの蓄積を低減するようになっている、請求項１に記載の収縮バルブ。
【請求項７】
前記導管を囲むハウジングであって、前記第１のガイド板及び第２のガイド板の少なくとも一方に対して静止している該ハウジングを更に備える、請求項１に記載の収縮バルブ。
【請求項８】
柔軟性及び弾性を有する導管を囲む収縮バルブに使用するためのガイド板であって、
前記導管を囲むようになっている内側周縁と、
前記内側周縁の近くに設けられた複数の細長い部材の係合部であって、複数の細長い部材を係合するための該係合部と、
を備え、
該ガイド板が、前記導管を略中心にして回転するようになっている、
ガイド板。
【請求項９】
前記細長い部材の係合部は、スカラップである、請求項８に記載の装置
【請求項１０】
前記収縮バルブにおいて摺動可能に係合して回転するようになっている外側周縁を更に備える、請求項８に記載の装置。
【請求項１１】
滑らかに混合されたスラリーを被覆物へ供給するための方法であって、
焼成された石膏と水とを混合器に投入する工程と、
前記混合器の内容物を攪拌して、前記焼成された石膏の水分散液を形成する工程と、
攪拌された内容物を前記混合器の出口から柔軟性及び弾性を有する導管を備えるスラリー分注装置に送る工程と、
前記スラリー分注装置における前記混合器への背圧を、前記導管を収縮させることによって生成する工程と、
を含み、
前記導管を収縮させることは、前記導管上に設けられた収縮バルブによって成される、
方法。
【請求項１２】
前記収縮バルブは、前記導管の周りに配列された複数の細長い部材を含んでおり、該収縮バルブは、円周方向に変位するようになっており、前記細長い部材は前記導管の形状を前記導管の長軸中心の回転双曲面に近づかせる、請求項１１に記載の方法。
【請求項１３】
アクチュエータを始動して、前記導管を収縮させる工程を更に含み、前記アクチュエータは手動又は自動の一方で始動される、請求項１１に記載の方法。
【請求項１４】
滑らかに混合されたスラリーを被覆物へ供給する方法であって、
焼成された石膏と水とを混合器に投入する工程と、
前記混合器の内容物を攪拌して、前記焼成された石膏の水分散液を形成する工程と、
攪拌された内容物を前記混合器の出口から柔軟性及び弾性を有する導管を備えるスラリー分注装置に送る工程と、
前記バルブを収縮させるための因子を検知する工程と、
を含み、
前記導管を収縮させることは、前記導管上に配置された前記収縮バルブによって、前記因子が検知されたときに成される、
方法。
【請求項１５】
前記導管を収縮させるための前記因子は、前記混合器のモータにおける電動負荷である、請求項１４に記載の方法。
【請求項１６】
柔軟性及び弾性を有する導管であり石膏スラリーの分注アセンブリにおける該導管を収縮させることに使用するための収縮バルブであって、
第１のガイド板及び第２のガイド板と、
複数の細長い部材と
を備え、
前記第１のガイド板及び前記第２のガイド板は、前記導管がこれらのガイド板の中心部を通過し得るに十分な内径を持つ中空の中心部を含む略ディスク形状になっており、
前記第１のガイド板及び前記第２のガイド板は、内周縁の内周全体に形成された複数のアーチ状の凹部を有し、
前記第１のガイド板及び前記第２のガイド板は、前記導管の長手方向に沿って互いに離間しており、
前記第１のガイド板及び前記第２のガイド板の一方は、当該一方のガイド板が、前記導管の長軸を略中心にして他方のガイド板に対して回転するよう、前記導管に回転可能に取り付けられており、
前記複数の細長い部材はそれぞれ、前記第１のガイド板における前記アーチ状の凹部の一つに配置される第１の端部と、前記第２のガイド板における前記アーチ状の凹部の一つに配置される第２の端部とを有し、
前記複数の細長い部材における前記第１の端部及び前記第２の端部は、前記導管により押され前記凹部に係合されて保持され、
前記複数の細長い部材は、前記第１のガイド板及び第２のガイド板の少なくとも一方が回転する際、前記導管の長手方向に沿った多数の面で径方向に前記導管に圧力を与えて収縮させるよう構成されている、
収縮バルブ。
【請求項１７】
前記第１のガイド板及び第２のガイド板の前記少なくとも一方の前記回転により、前記細長い部材における前記第１の端部を前記第２の端部に対して円周方向に変位させる、請求項１６に記載の収縮バルブ。
【請求項１８】
前記第１のガイド板及び第２のガイド板の前記少なくとも一方が回転する際、前記導管の結果的に得られる形状は、該導管の長手方向軸線を中心とした回転双曲面に近づく、請求項１６に記載の収縮バルブ。
【請求項１９】
前記第１のガイド板及び第２のガイド板の前記少なくとも一方が回転する際、前記導管の結果的に得られる形状は、該導管の長手方向軸線に沿ってとられた複数の断面において、円形であり、滑らかである請求項１６に記載の収縮バルブ。
【請求項２０】
混合器に背圧を生成し、該収縮バルブ内におけるスラリーの蓄積を低減するよう構成された、請求項１６に記載の収縮バルブ。
【請求項２１】
前記導管を囲むハウジングであって、前記第１のガイド板及び第２のガイド板の少なくとも一方に対して静止している該ハウジングを更に備える、請求項１６に記載の収縮バルブ。
【請求項２２】
スラリー混合装置と、前記スラリー混合装置の下流に配置された分注装置とから構成される石膏スラリー混合・分注システムであって、
前記分注装置は、
前記スラリー混合装置から当該分注装置へのスラリーの流れを制御する出口と、
前記出口と連通してスラリーを受ける主入口を有する、柔軟性及び弾性を有する細長い導管と、
収縮バルブと
を備え、
前記収縮バルブは、
前記導管の長手方向に沿って互いに離間する第１のガイド板及び第２のガイド板であり、該第１のガイド板及び該第２のガイド板の一方は、当該一方のガイド板が、前記導管の長軸を略中心にして他方のガイド板に対して回転する、該第１のガイド板及び該第２のガイド板と、
前記第１のガイド板に係合する第１の端部と、前記第２のガイド板に係合する第２の端部とを有する複数の細長い部材と
を備え、
前記細長い部材は、前記第１のガイド板及び第２のガイド板の少なくとも一方が回転する際、前記導管に圧力を与えて収縮させるよう構成されており、
前記収縮バルブは、前記スラリー混合装置内の背圧を生成するように構成されている、
石膏スラリー混合・分注システム。
【請求項２３】
前記収縮バルブは連続的な収縮バルブである、請求項２２に記載の石膏スラリー混合・分注システム。